(57)【要約】【課題】遊技機において本来的に必要な領域を不要に消費することなく、効果的に興趣性を向上させることのできる遊技機を提供すること。【解決手段】遊技に関する情報を表示するペーパー表示体３２と、ペーパー表示体の表示駆動を行う表示駆動部３５と、ペーパー表示体３２が出没可能なスリット３１と、ペーパー表示体の繰り出しおよび巻き取りを行うことで、スリット３１を介し遊技者に対してペーパー表示体を出没させる出没駆動部３４とを備える。【選択図】図５
2007313028.tif 000002
【特許請求の範囲】
【請求項１】
遊技に関する情報を表示するペーパー表示体と、
前記ペーパー表示体の表示駆動を行う表示駆動部と、
前記ペーパー表示体が出没可能なスリットと、
前記ペーパー表示体の繰り出しおよび巻き取りを行うことで、前記スリットを介し遊技者に対して前記ペーパー表示体を出没させる出没駆動部と
を備える遊技機。
【請求項２】
さらに、
遊技球が転動可能な遊技領域を有する遊技盤と、
前記遊技領域内に設けられ、遊技球が入賞可能な開放状態と、入賞不能な閉鎖状態とに相互に切り替わる入賞口部と、
前記遊技盤に設けられ、前記入賞口部を開放状態にする大当たりと、前記入賞口部を開放状態にしない外れとを遊技者に報知するための図柄を表示する表示パネルとを備え、
前記スリットの前記遊技機における位置は、前記スリットを介して出現した前記ペーパー表示体が、前記表示パネルの前面の少なくとも一部を覆うことのできる位置である
請求項１記載の遊技機。
【発明の詳細な説明】
【技術分野】
【０００１】
本発明は、遊技機に関し、特に興趣性を向上させる機構に関するものである。
【背景技術】
【０００２】
現在、パチンコ機等の遊技機において、興趣性の向上のための表示装置が備えられている。
【０００３】
例えば、パチンコ機には、パチンコ球が転動する遊技領域を有する遊技盤の中央部付近に、液晶等の表示パネルが備えられている。この表示パネルには、遊技者に大当たり等の遊技結果を遊技者に報知するための図柄だけでなく、興趣性を向上させる演出がなされた画像も表示される。
【０００４】
さらに、近年では、表示パネルの周辺に動く人形のようないわゆる可動役物を設置し、可動役物の動きに合わせて表示パネルに画像を表示することにより、遊技者を飽きさせないようにしたパチンコ機も存在する。また、そのようなパチンコ機についての技術も開示されている（例えば、特許文献１参照）。
【特許文献１】特開２００１−２５５４６号公報
【発明の開示】
【発明が解決しようとする課題】
【０００５】
ここで、表示パネルによる興趣性の向上効果を高めるためには、表示パネルを大きくすることが考えられる。そのため、近年では、パチンコ機における表示パネルの大型化が進んでいる。しかし、表示パネルの大型化は、必然的に遊技領域の狭小化を招くこととなる。
【０００６】
また、可動役物は、物体を動かすことにより、遊技者を楽しませるものである。そのため、可動役物による興趣性の向上効果を高めるためには、可動役物自体または可動役物の動きを大きくする必要がある。つまり、それらの大きさに比例し、遊技盤上はもとより、パチンコ機の制御基盤等が存在する遊技盤の裏側に、可動役物を収容する領域や可動役物を駆動する機構を設置するための領域がさらに必要となる。
【０００７】
このように、パチンコ機等の遊技機において興趣性を向上させることは重要なことである一方で、表示パネル等の大型化が図られることにより、遊技機本来の機能を発揮するために必要な遊技領域や遊技機を制御する構成部のための領域が狭くなるという問題が生じている。
【０００８】
本発明は、上記従来の課題を考慮し、遊技機において本来的に必要な領域を不要に消費することなく、効果的に興趣性を向上させることのできる遊技機を提供することを目的とする。
【課題を解決するための手段】
【０００９】
上記目的を達成するために、本発明の遊技機は、遊技に関する情報を表示するペーパー表示体と、前記ペーパー表示体の表示駆動を行う表示駆動部と、前記ペーパー表示体が出没可能なスリットと、前記ペーパー表示体の繰り出しおよび巻き取りを行うことで、前記スリットを介し遊技者に対して前記ペーパー表示体を出没させる出没駆動部とを備える。
【００１０】
このように、本発明の遊技機において、ペーパー表示体は、巻き取られて収容され、また、繰り出されて出現させられる。つまり、必要に応じてペーパー表示体を出没させることができ、かつ、コンパクトに収容することができる。
【００１１】
また、ペーパー表示体は表示駆動部により表示を駆動される。つまり、様々な、遊技に関する情報である遊技情報を遊技者に提供することができる。
【００１２】
従って、本発明の遊技機は、遊技機において本来的に必要な領域を不要に消費することなく、かつ、ペーパー表示体の出没動作と遊技情報の提供とにより、効果的に興趣性を向上させることができる。
【００１３】
また、本発明の遊技機は、さらに、遊技球が転動可能な遊技領域を有する遊技盤と、前記遊技領域内に設けられ、遊技球が入賞可能な開放状態と、入賞不能な閉鎖状態とに相互に切り替わる入賞口部と、前記遊技盤に設けられ、前記入賞口部を開放状態にする大当たりと、前記入賞口部を開放状態にしない外れとを遊技者に報知するための図柄を表示する表示パネルとを備え、前記スリットの前記遊技機における位置は、前記スリットを介して出現した前記ペーパー表示体が、前記表示パネルの前面の少なくとも一部を覆うことのできる位置であるとしてもよい。
【００１４】
これにより、例えば、上記のペーパー表示体を出没させる機構をパチンコ機に適用することができる。また、表示パネルの前面に存在する、遊技領域ではない領域を有効に利用してペーパー表示体を出没させることができる。
【００１５】
さらに、表示パネルは遊技者が注目している領域であるため、ペーパー表示体が表示する遊技情報と、その出没動作とを遊技者に容易に認識させることができる。
【００１６】
従って、本発明を、パチンコ機に適用した場合においても、遊技領域等を不要に消費することなく効果的に興趣性を向上させることができる。
【発明の効果】
【００１７】
本発明は、遊技機において本来的に必要な領域を不要に消費することなく、効果的に興趣性を向上させることのできる遊技機を提供することができる。
【発明を実施するための最良の形態】
【００１８】
以下、本発明の実施の形態について図面を用いて説明する。
図１は、本発明の実施の形態におけるパチンコ機１０の斜視図である。
【００１９】
パチンコ機１０は、図１に示すように、外枠１１、前枠１２、ガラス扉１３を備えている。また、図２を用いて後述する遊技盤２０を内部に備えている。
【００２０】
外枠１１は、パチンコ機１０全体を保持する枠である。前枠１２は、外枠１１以外のパチンコ機１０の構成要素の大部分を保持する枠であり、ヒンジを介して外枠１１に取り付けられている。
【００２１】
ガラス扉１３は、円形孔状の窓部を有し、窓部の内周面には透明なガラス板が固定されている。また、ガラス扉１３は、ヒンジを介して前枠１２に取り付けられている。
【００２２】
図２は、遊技盤２０の正面図である。
遊技盤２０は、遊技球が転動する遊技領域を有する構成部であり、上述の前枠１２に取り付けられ、通常、その前面はガラス扉１３に覆われた状態になる。遊技者は、ガラス扉１３が有するガラス板を通し、パチンコ機１０の前面から遊技領域を望めるようになっている。
【００２３】
この遊技盤２０は、図２に示すように、遊技盤２０の有する各構成部材を固定するための板である遊技板２１と、発射装置から発射された遊技球をガイドするレールセット２２と、遊技球が入ることによって大当たりか否かの抽選が開始される始動口２３と、抽選結果が大当たりの状態となった場合には開放状態となり、それ以外の時には閉鎖状態となる大入賞口２４と、常に開放状態であって遊技球が入球すれば所定数の賞球が払い出される一般入賞口２５と、始動口２３に入った遊技球の数を４個まで表示する保留ランプ２６とを備えている。
【００２４】
なお、パチンコ機１０の主要な動作を制御するコンピュータよりなる主基盤等は、主に遊技盤２０の裏面に備えられている。
【００２５】
また、遊技盤２０は、大入賞口２４を開放状態にする大当たりと、大入賞口２４を開放状態にしない外れとを遊技者に報知するための図柄を表示する表示パネル２７を備えている。
【００２６】
具体的には、始動口２３への遊技球の入賞をきっかけに、主基盤で大当たりか否かの抽選が行われ、表示パネル２７には、複数の図柄が所定の期間変動表示される。その後、主基盤における抽選結果が外れである場合、図２で示すように、異なる複数の図柄が表示される。
【００２７】
また、抽選結果が当たりである場合には、同一の複数の図柄が表示パネル２７に表示される。このような図柄が表示パネル２７に表示されることにより、抽選結果が遊技者に報知される。
【００２８】
さらに、遊技盤２０は、上記構成部に加え、遊技情報を表示するペーパー表示体を出没させる可動表示部３０を備えている。
【００２９】
上記の表示パネル２７が、抽選結果を遊技者に報知するための図柄を表示することを主な役割としているのに対し、可動表示部３０は、大当たり等の抽選結果を直接的には示さない遊技情報をペーパー表示体に表示させ、かつ、そのペーパー表示体を出没させることにより、パチンコ機１０における興趣性を向上させることを主な役割としている。
【００３０】
図３及び図４は、可動表示部３０の正面図である。
可動表示部３０は、図３及び図４に示すように、ペーパー表示体３２が出没可能なスリット３１を有している。また、このスリット３１からペーパー表示体３２が出現し、全体としてインスタントカメラを模した形状となっている。可動表示部３０は、スリット３１からペーパー表示体３２を出現させることができる。
【００３１】
なお、本実施の形態では、ペーパー表示体３２として、柔軟性を有し、かつ、表示内容の変更が可能なシート状の表示デバイスである電子ペーパーを採用しており、図柄、文字等を表示することができる。図４に示す例では、ペーパー表示体３２には図柄が表示されている。
【００３２】
図５は、可動表示部３０の出没機構の構成および表示機能の構成を同時に示す図である。なお、図５は、図２におけるＩ−Ｉ断面で遊技盤２０および可動表示部３０のカバー３３を切断し、可動表示部３０の近傍を拡大した状態を示す断面図を基本としている。また、電力および可動表示部３０を制御するための信号を可動表示部３０に与えるための配線等は省略している。
【００３３】
図５に示すように、可動表示部３０は、ペーパー表示体３２の出没を駆動するための機構構成として出没駆動部３４を備えている。また、ペーパー表示体３２の表示を駆動するための機能構成として表示駆動部３５を備えている。
【００３４】
また、これら構成部を覆うカバー３３にはスリット３１が設けられている。カバー３３内においてスリット３１の上下縁には、ペーパー表示体３２の出没方向を案内するガイド３３ａが設けられている。
【００３５】
出没駆動部３４は、ペーパー表示体３２の繰り出しおよび巻き取りを行う軸となる巻取り筒３４ａと、ギヤ３４ｂを介して巻き取り筒３４ａを回転させるモータ３４ｃとを有している。
【００３６】
ペーパー表示体３２は、その１辺が巻取り筒３４ａの回転軸と平行に、巻取り筒３４ａに取り付けられており、巻取り筒３４ａの回転方向に応じ、巻取り筒３４ａに巻き取られ、または繰り出される。
【００３７】
例えば、ペーパー表示体３２が、巻取り筒３４ａに巻き取られている場合、モータ３４ｃが図５における反時計方向に回転することにより、巻取り筒３４ａは反時計方向に回転する。これにより、ペーパー表示体３２は繰り出され、スリット３１を介して遊技盤２０の前面に出現する。
【００３８】
また、ペーパー表示体３２が遊技盤２０の前面に出現している場合、モータ３４ｃが図５における時計方向に回転することにより、巻取り筒３４ａは時計方向に回転する。これにより、ペーパー表示体３２は巻き取られ、スリット３１を介して遊技盤２０の前面から姿を隠す。または、表示パネル２７の視認および遊技の妨げにならない程度にまで巻き取られる。
【００３９】
つまり、出没駆動部３４は、ペーパー表示体３２の繰り出しおよび巻き取りを行うことで、スリット３１を介し遊技者に対してペーパー表示体３２を出没させることができる。
【００４０】
また、ペーパー表示体３２には、図柄、文字等からなる遊技情報が表示され、また、所定の事象を契機として表示内容が変更される。
【００４１】
具体的には、表示駆動部３５から、ペーパー表示体３２の表示を駆動するための信号（図５では点線矢印で表現している。）が、スリップリング等を介し、巻取り筒３４ａに与えられ、さらに、ペーパー表示体３２に与えられる。
【００４２】
これにより、ペーパー表示体３２の表示駆動が行われる。すなわち、ペーパー表示体３２における、図柄、文字等からなる遊技情報の表示、および表示内容の変更が行われる。
【００４３】
このような、ペーパー表示体３２の出没およびペーパー表示体３２による遊技情報の表示は、パチンコ機１０における興趣性の向上のために適したタイミングおよび内容で行われる。
【００４４】
例えば、始動口２３に遊技球が入賞し、抽選が行われるとともに、表示パネル２７において複数の図柄の変動表示が開始された後、抽選結果を示す図柄が表示されるまでの期間に、抽選結果に応じて、所定の確率でペーパー表示体３２を出現させるように、または、ペーパー表示体３２を出現させないように可動表示部３０の動作制御が行われる。
【００４５】
可動表示部３０に対するこのような動作は、図示しない制御基盤からの信号により制御される。
【００４６】
図６は、ペーパー表示体３２が出現した状態の遊技盤２０の正面図である。
例えば、パチンコ機１０において、大当たりを示す図柄の組み合わせの１つが“３３３”である場合を想定する。この想定下において、始動口２３に遊技球が入賞し、表示パネル２７において３つの図柄の変動表示が開始されてから所定の期間経過後、図６に示すように、３つの図柄のうちの両端の図柄がともに“３”で停止した場合、遊技者は、中央の図柄が“３”で停止することを期待する。
【００４７】
ここで、抽選結果が大当たりの場合は、中央の図柄が“３”で停止するまでの期間に、５０％の確率で上記期間内にペーパー表示体３２を出現させるように可動表示部３０の動作制御を行う。
【００４８】
さらに、ペーパー表示体３２に大当たりの可能性を示唆する図柄や文字、例えば「大当たりか！？」等が表示されるように、表示駆動部３５にペーパー表示体３２の表示を駆動させる。
【００４９】
このような動作により、図６に示すように、表示パネル２７の前面の一部が覆われるように（具体的には最終停止図柄の変動領域の一部が覆われるように）ペーパー表示体３２が出現し、遊技者に、その出現動作と、ペーパー表示体３２の表示内容とを認識させることができる。
【００５０】
また、抽選結果が外れの場合は、上記期間内にペーパー表示体３２を低確率で出現させるように可動表示部３０の動作制御を行う。
【００５１】
つまり、遊技者は、上記期間内にペーパー表示体３２が出現した場合、ペーパー表示体３２が出現しない場合よりも、抽選結果が大当たりである可能性が高いことを認識することができる。
【００５２】
すなわち遊技者にとって、ペーパー表示体３２が出現し大当たりの可能性を示唆する図柄等が表示されることは、大当たりの信頼度が高いことを意味することになる。
【００５３】
このようなタイミングでペーパー表示体３２を出現させ、また、ペーパー表示体３２に大当たりの可能性を示唆する内容を表示することにより、遊技者の抽選結果に対する期待感をより一層高めることができる。つまり、パチンコ機１０の興趣性を高めることができる。
【００５４】
なお、ペーパー表示体３２は出現した後に、出没駆動部３４により巻き取られ、遊技者は表示パネル２７の全体を視認することができる。
【００５５】
本実施の形態のパチンコ機１０は、上述のように、遊技情報を表示するペーパー表示体３２を備え、ペーパー表示体３２を繰り出し、また、巻き取ることで、遊技者に対してペーパー表示体３２を出没させることができる。
【００５６】
つまり、ペーパー表示体３２は巻き取られてコンパクトに収容される。そのため、遊技領域等のパチンコ機において本来的に必要な領域が不要に消費されることはない。
【００５７】
また、ペーパー表示体３２が表示する内容によってのみならず、その出没動作によっても遊技者に対して興趣を提供することができる。つまり、効果的に興趣性を向上させることができる。
【００５８】
さらに、図６に示すように、スリット３１のパチンコ機１０における位置は、スリット３１を介して出現したペーパー表示体３２が、表示パネル２７の前面の少なくとも一部を覆うことのできる位置である。
【００５９】
これにより、表示パネル２７は、遊技領域ではなく、通常は使用されていない領域を有効利用して出没動作を行うことができる。
【００６０】
また、ペーパー表示体３２が出現する領域は、遊技者が注目している領域（表示パネル２７の表示画面における最終停止図柄の変動領域）である。従って、ペーパー表示体３２が表示する遊技情報とその出没動作とを遊技者に容易に認識させることができ、更に効果的に興趣性を向上させることができる。
【００６１】
なお、ペーパー表示体３２は、電子ペーパーでなくてもよい。例えば、薄型化可能であり柔軟性を有する表示デバイスである有機ＥＬ（ｅｌｅｃｔｒｏｌｕｍｉｎｅｓｃｅｎｃｅ）ディスプレイをペーパー表示体３２として用いてもよい。
【００６２】
要するに、遊技者に遊技情報を提示している状態の形状のまま収容するよりもコンパクトに収容することのできる柔軟性を有する表示デバイスであればペーパー表示体３２として採用可能である。
【００６３】
また、ペーパー表示体３２が出現される際、ペーパー表示体３２に徐々に図柄等を表示するようにしてもよい。
【００６４】
これにより、何が表示されるのかに対して遊技者に期待感を抱かせることができ、興趣性の向上を図ることができる。
【００６５】
また、ペーパー表示体３２に表示する内容を複数用意しておき、抽選結果に応じて表示内容を変更してもよい。
【００６６】
例えば、パチンコ機１０において、確率変動などの特典が付された大当り（確変当り）と、その特典が付されていない通常の大当り（通常当り）との２種類の大当たりが存在する場合、確変当りの可能性を示唆する図柄と、通常当りの可能性を示唆する図柄とを用意しておく。
【００６７】
さらに、抽選結果が確変当りであり、かつ、ペーパー表示体３２が出現される場合、例えば６対４の確率で確変当りの可能性を示唆する図柄と、通常当りの可能性を示唆する図柄とが表示されるように制御する。
【００６８】
これにより、遊技者は、まず、ペーパー表示体３２の出現により抽選結果に対する期待感を高める。次に、その表示内容が確変当りの可能性を示唆する図柄である場合、抽選結果に対する期待感をより一層高めることとなる。
【００６９】
また、ペーパー表示体３２が表示する図柄、文字等の画像は静止画であっても動画であってもよく、上記のように遊技の状況に応じてそれらを使い分けてもよい。さらに、ペーパー表示体３２の出没動作の速さを遊技の状況に応じて変更してもよい。
【００７０】
このように、ペーパー表示体３２が遊技者に提示する遊技情報の内容や動作の態様を、遊技の状況に応じて変更することにより、遊技者にさらなる興趣を提供することができる。
【００７１】
また、ペーパー表示体３２が出没するためのスリット３１を、遊技盤２０を構成する遊技板２１に直接設けてもよい。この場合、出没駆動部３４を遊技板２１の裏面のスリット３１近傍に配置すればよい。
【００７２】
つまり、パチンコ機１０において、スリット３１は、遊技者に対してペーパー表示体３２を出没させるため位置に存在していればよい。
【００７３】
さらには、ペーパー表示体３２が遊技盤２０の前面に出現した場合、ペーパー表示体３２が表示パネル２７の前面の少なくとも一部を覆う状態にするための位置に存在していることが好ましい。
【００７４】
例えば、巻取り筒３４ａの回転軸を縦方向にすることにより、ペーパー表示体３２の出現方向をパチンコ機１０に正対して右から左の方向にした場合、表示パネル２７の右辺近傍に縦長のスリット３１を設ければよい。
【００７５】
また、本実施の形態ではパチンコ機を例示して説明したが、表示駆動されるペーパー表示体３２を出没させる機構は、スロットマシンや他の遊技機にも適用できるのは勿論である。
【産業上の利用可能性】
【００７６】
本発明の遊技機は、遊技者に対してペーパー表示体を出没させることにより、遊技機において本来的に必要な領域を不要に消費することなく、効果的に興趣性を向上させることができるという効果を奏し、例えば、パチンコ機などに適用できる。
【図面の簡単な説明】
【００７７】
【図１】本発明の実施の形態におけるパチンコ機の斜視図。
【図２】遊技盤の正面図。
【図３】可動表示部の第１の正面図。
【図４】可動表示部の第２の正面図。
【図５】可動表示部の出没機構の構成および表示機能の構成を同時に示す図。
【図６】ペーパー表示体が出現した状態の遊技盤の正面図。
【符号の説明】
【００７８】
１０…パチンコ機、２０…遊技盤、２２…レールセット、２４…大入賞口、２７…表示パネル、３０…可動表示部、３１…スリット、３２…ペーパー表示体、３４…出没駆動部、３５…表示駆動部
【図１】
2007313028.tif 000003
【図２】
2007313028.tif 000004
【図３】
2007313028.tif 000005
【図４】
2007313028.tif 000006
【図５】
2007313028.tif 000007
【図６】
2007313028.tif 000008